(57)【要約】【課題】  ディスク再生装置から出力されるデジタル音声信号の信号フォーマットの中、ＡＶアンプの対応可能な信号フォーマットと未対応の信号フォーマットとを容易に判別することができるようにする。【解決手段】  ディスク再生装置の対応している信号フォーマットのテスト信号を順次再生して、再生されたテスト信号をＡＶアンプに出力し、テスト信号の音声を集音して、その集音結果に基づいてＡＶアンプの対応・未対応信号フォーマットを判別するようにする。【選択図】        図１
2005327349.tif 000002
【特許請求の範囲】
【請求項１】
複数の信号フォーマットの光ディスクを再生するディスク再生装置であって、
ディスク再生装置が対応している信号フォーマットのテスト信号を順次再生する再生手段と、前記再生手段により再生されたテスト信号をＡＶアンプに出力する出力手段と、前記ＡＶアンプに接続されたスピーカから出力される音声を集音する集音手段と、前記出力手段によりテスト信号が前記ＡＶアンプに出力されたとき、前記集音手段によりそのテスト信号の音声が集音された場合、該信号フォーマットが前記ＡＶアンプの対応信号フォーマットであると判別し、前記集音手段によりそのテスト信号の音声が集音されない場合、該信号フォーマットが前記ＡＶアンプの未対応信号フォーマットであると判別する判別手段と、光ディスクを再生する際、前記判別手段により判別された前記ＡＶアンプの未対応信号フォーマットのデジタル音声信号を除外して、再生可能な前記ＡＶアンプの対応信号フォーマットのデジタル音声信号のみを選択再生する選択再生手段とを備えたことを特徴とするディスク再生装置。
【請求項２】
複数の信号フォーマットの光ディスクを再生するディスク再生装置であって、
ディスク再生装置が対応している信号フォーマットのテスト信号を順次再生する再生手段と、前記再生手段により再生されたテスト信号をＡＶアンプに出力する出力手段と、前記ＡＶアンプに接続されたスピーカから出力される音声を集音する集音手段と、前記出力手段によりテスト信号が前記ＡＶアンプに出力されたとき、前記集音手段によるテスト信号の音声の集音結果に基づいて前記ＡＶアンプの対応・未対応信号フォーマットを判別する判別手段とを備えたことを特徴とするディスク再生装置。
【請求項３】
光ディスクを再生する際、前記判別手段により判別された前記ＡＶアンプの未対応信号フォーマットのデジタル音声信号を除外して、再生可能な前記ＡＶアンプの対応信号フォーマットのデジタル音声信号のみを選択再生する選択再生手段を更に備えたことを特徴とする請求項２記載のディスク再生装置。
【請求項４】
前記判別手段は、前記出力手段によりテスト信号が前記ＡＶアンプに出力されたとき、前記集音手段によりそのテスト信号の音声が集音された場合、該信号フォーマットが前記ＡＶアンプの対応信号フォーマットであると判別する判別手段であることを特徴とする請求項２記載のディスク再生装置。
【請求項５】
前記判別手段は、前記出力手段によりテスト信号が前記ＡＶアンプに出力されたとき、前記集音手段によりそのテスト信号の音声が集音されない場合、該信号フォーマットが前記ＡＶアンプの未対応信号フォーマットであると判別する判別手段であることを特徴とする請求項２記載のディスク再生装置。
【発明の詳細な説明】
【技術分野】
【０００１】
本発明は、光ディスクを再生するディスク再生装置に係り、特に複数のフォーマットの光ディスクに対応し、そのデジタル音声信号を再生して出力するディスク再生装置に関する。
【背景技術】
【０００２】
最近、ＤＶＤ（Ｄｉｇｉｔａｌ  Ｖｅｒｓａｔｉｌｅ  Ｄｉｓｃ）等を再生して出力するディスク再生装置から出力されるデジタル音声信号の信号フォーマットは、例えば、周波数４８ｋＨｚ、９６ｋＨｚ、１９２ｋＨｚ／Ｄｏｌｂｙ  Ｄｉｇｉｔａｌ／ＤＴＳ／ＭＰＥＧ  Ｍｕｌｔｉｃｈａｎｎｅｌ等々様々な信号フォーマットが増えてきている。また、入力されたデジタル音声信号をデコードして再生するＡＶ（Ａｕｄｉｏ  Ｖｉｄｅｏ）アンプの対応可能なデジタル音声信号の信号フォーマットも様々である。しかし、ディスク再生装置から出力されるデジタル音声信号の信号フォーマットがＡＶアンプより常に先行していて新たな信号フォーマットが採用されるため、ディスク再生装置から出力されるデジタル音声信号の信号フォーマットの中には、ＡＶアンプが未対応の信号フォーマットがあり、ユーザが所有するディスク再生装置とＡＶアンプとの組み合わせで、いずれの信号フォーマットであればデジタル音声信号を再生することできるのかということが容易に判らずユーザが困惑しているのが現状である。また、デジタル音声信号の信号フォーマットの対応・未対応は、ディスク再生装置、ＡＶアンプの分厚い取扱説明書を紐解かなければ判らず、ユーザが分厚い取扱説明書を紐解いてもディスク再生装置から出力されるデジタル音声信号のいずれの信号フォーマットがＡＶアンプで再生できるのかということが容易に判らないという問題点があった。
背景技術としては、複数の信号フォーマットの音声信号再生する音声再生機器より供給された複数の信号フォーマットの音声を判別して、複数の信号フォーマットの音声信号を自動的に切り換えて再生するようにしたものものがあった（例えば、特許文献１参照）。
また、定常ホワイトノイズを発生させてスピーカから放射される定常ホワイトノイズをマイクロホンで集音し、マイクロホンの出力信号のパワーが所定値以上であるとき、そのチャンネルの接続状態が正常であると判定するようにしたものがあった（例えば、特許文献２参照）。
【特許文献１】特開２００２−２７０９４１号公報
【特許文献２】特開平５−２９８７７５号公報
【発明の開示】
【発明が解決しようとする課題】
【０００３】
しかしながら、背景技術で述べたもののうち前者においては、複数の信号フォーマットの音声信号再生する音声再生機器より供給された複数の信号フォーマットの音声を判別して、複数の信号フォーマットの音声信号を自動的に切り換えて再生することができたが、ユーザが所有するディスク再生装置とＡＶアンプとの組み合わせで、いずれの信号フォーマットのデジタル音声信号が再生できるのかということが容易に判らないという上記問題点を解決するものではなかった。
また、後者においては、定常ホワイトノイズを発生させてスピーカから放射される定常ホワイトノイズをマイクロホンで集音し、マイクロホンの出力信号のパワーが所定値以上であるとき、そのチャンネルの接続状態が正常であると判定することができたが、上記同様、上記した問題点を解決するようにしたものではなかった。
本発明は、背景技術の有するこのような問題点に鑑みてなされたものであり、その目的とするところは、ディスク再生装置から出力されるデジタル音声信号の信号フォーマットの中、ＡＶアンプの対応可能な信号フォーマットと未対応の信号フォーマットとを容易に判別することができ、未対応の信号フォーマットを光ディスクの再生時の選択肢から除外することができるディスク再生装置を提供しようとするものである。
【課題を解決するための手段】
【０００４】
上記目的を達成するため本発明においては、複数の信号フォーマットの光ディスクを再生するディスク再生装置であって、ディスク再生装置が対応している信号フォーマットのテスト信号を順次再生する再生手段と、前記再生手段により再生されたテスト信号をＡＶアンプに出力する出力手段と、前記ＡＶアンプに接続されたスピーカから出力される音声を集音する集音手段と、前記出力手段によりテスト信号が前記ＡＶアンプに出力されたとき、前記集音手段によるテスト信号の音声の集音結果に基づいて前記ＡＶアンプの対応・未対応信号フォーマットを判別する判別手段とを備える。
更に、光ディスクを再生する際、前記判別手段により判別された前記ＡＶアンプの未対応信号フォーマットのデジタル音声信号を除外して、再生可能な前記ＡＶアンプの対応信号フォーマットのデジタル音声信号のみを選択再生する選択再生手段を備える。
前記判別手段は、前記出力手段によりテスト信号が前記ＡＶアンプに出力されたとき、前記集音手段によりそのテスト信号の音声が集音された場合、該信号フォーマットが前記ＡＶアンプの対応信号フォーマットであると判別するようにするとよい。
また、前記判別手段は、前記出力手段によりテスト信号が前記ＡＶアンプに出力されたとき、前記集音手段によりそのテスト信号の音声が集音されない場合、該信号フォーマットが前記ＡＶアンプの未対応信号フォーマットであると判別するようにするとよい。
これらの手段により、ディスク再生装置から出力されるデジタル音声信号の信号フォーマットの中、ＡＶアンプの対応可能な信号フォーマットと未対応の信号フォーマットとを容易に判別することができ、未対応の信号フォーマットを光ディスクの再生時の選択肢から除外することができる。
【発明の効果】
【０００５】
請求項１記載の発明に係るディスク再生装置によれば、ディスク再生装置が対応している信号フォーマットのテスト信号を順次再生して、再生されたテスト信号をＡＶアンプに出力し、そのテスト信号の音声が集音された場合、該信号フォーマットがＡＶアンプの対応信号フォーマットであると判別し、そのテスト信号の音声が集音されない場合、該信号フォーマットがＡＶアンプの未対応信号フォーマットであると判別して、光ディスクを再生する際、ＡＶアンプの未対応信号フォーマットのデジタル音声信号を除外して、再生可能な前記ＡＶアンプの対応信号フォーマットのデジタル音声信号のみを選択再生するようにしているので、ディスク再生装置から出力されるデジタル音声信号の信号フォーマットの中、ＡＶアンプの対応可能な信号フォーマットと未対応の信号フォーマットとを容易に判別することができ、未対応の信号フォーマットを光ディスクの再生時の選択肢から除外することができる。
請求項２記載の発明に係るディスク再生装置によれば、ディスク再生装置が対応している信号フォーマットのテスト信号を順次再生して、再生されたテスト信号をＡＶアンプに出力し、テスト信号の音声の集音結果に基づいてＡＶアンプの対応・未対応信号フォーマットを判別するようにしているので、ディスク再生装置から出力されるデジタル音声信号の信号フォーマットの中、ＡＶアンプの対応可能な信号フォーマットと未対応の信号フォーマットとを容易に判別することができる。
請求項３記載の発明に係るディスク再生装置によれば、光ディスクを再生する際、ＡＶアンプの未対応信号フォーマットのデジタル音声信号を除外して、再生可能な前記ＡＶアンプの対応信号フォーマットのデジタル音声信号のみを選択再生するようにしているので、未対応の信号フォーマットを光ディスクの再生時の選択肢から除外して、ＡＶアンプで再生することができない信号フォーマットのデジタル音声信号を再生することなく、ＡＶアンプで再生することができる信号フォーマットのデジタル音声信号のみを選択再生することができる。
請求項４記載の発明に係るディスク再生装置によれば、テスト信号がＡＶアンプに出力されたとき、そのテスト信号の音声が集音された場合、該信号フォーマットがＡＶアンプの対応信号フォーマットであると判別するようにしているので、ＡＶアンプの対応信号フォーマットを容易に判別することができる。
請求項５記載の発明に係るディスク再生装置によれば、テスト信号がＡＶアンプに出力されたとき、そのテスト信号の音声が集音されない場合、該信号フォーマットがＡＶアンプの未対応信号フォーマットであると判別するようにしているので、ＡＶアンプの未対応信号フォーマットを容易に判別することができる。
【発明を実施するための最良の形態】
【０００６】
以下、適宜図面を参照しながら本発明を実施するための最良の形態を詳述する。図１は本発明の一実施例のディスク再生装置を適用したＡＶシステムの一例を示す図であり、図２は本発明の一実施例のディスク再生装置の構成を示すブロック図であり、図３は本発明の一実施例のディスク再生装置の動作を示すフローチャートである。
まず、図１の本発明の一実施例のディスク再生装置を適用したＡＶシステムの一例を示す図を基に説明する。
ディスク再生装置１０を適用したＡＶシステムは、ディスク再生装置１０と、ＡＶアンプ２０と、スピーカ３０、３１とで構成されていて、光ディスクを再生するディスク再生装置１０とスピーカ３０、３１を駆動して音声を出力するＡＶアンプ２０とは、接続ケーブル２０ａを介して接続されている。図中３０ａ、３１ａはスピーカコードである。また、マイクロホン４０は、スピーカ３０、３１から出力される音声を集音するためものであり、マイクロホンコード４０ａを介して、ディスク再生装置１０に接続されている。
更に、図２の本発明の一実施例のディスク再生装置の構成を示すブロック図を基に説明する。
ディスク再生装置１０は、光ディスク１１を再生して光ディスク１１に記録された信号フォーマットのデジタル音声信号を再生するディスク再生部１２と、ディスク再生部１２により再生された信号フォーマットのデジタル音声信号を出力するデジタル音声信号出力部１３と、マイクロホン４０により集音された音声を増幅して所定の信号を検出する増幅検出回路１４と、ディスク再生装置１０のシステム全体を制御するマイコン１５とで構成されている。また、ＡＶアンプ２０は、所定の信号フォーマットで圧縮されたデジタル音声信号を伸長して復号するデコーダ２１と、スピーカ３０、３１を駆動して音声を出力する音声信号出力部２２と、ＡＶアンプ２０のシステム全体を制御するマイコン２３とで構成されている。
以上のように構成されたディスク再生装置について、以下その動作について説明する。
ＡＶアンプの対応・未対応信号フォーマットのテストが開始されると、ディスク再生装置１０のマイコン１５は、ディスク再生部１２に制御信号を送出して、ディスク再生装置１０が対応している信号フォーマットのテスト信号を順次再生し、テスト信号をＡＶアンプ２０に出力する。そして、マイコン１５は、ＡＶアンプ２０に接続されたスピーカ３０、３１からのテスト信号の音声をマイクロホン４０により集音して、増幅検出回路１４によりマイクロホン４０により集音された音声の信号を増幅してテスト信号を検出し、ＡＶアンプ２０の対応・未対応信号フォーマットをテストする。
ＡＶアンプ２０に接続されたスピーカ３０、３１からのテスト信号がマイクロホン４０により集音された場合、即ち、ＡＶアンプ２０に入力された信号フォーマットのテスト信号がＡＶアンプ２０のデコーダ２１により伸長されて複合された場合、マイコン１５は、ＡＶアンプ２０に出力した信号フォーマットが出力ＡＶアンプ２０の対応信号フォーマットであると判定する。また、ＡＶアンプ２０に接続されたスピーカ３０、３１からのテスト信号がマイクロホンにより集音されない場合、即ち、ＡＶアンプ２０に入力された信号フォーマットのテスト信号がＡＶアンプ２０のデコーダ２１により伸長されず複合されない場合、マイコン１５は、ＡＶアンプ２０に出力した信号フォーマットが出力ＡＶアンプ２０の未対応信号フォーマットであると判定する。
そして、マイコン１５は、ディスク再生装置１０のが対応している全信号フォーマットのテスト信号に対するＡＶアンプ２０の信号フォーマットの対応・未対応のテストを行って、全ディスク再生装置１０の全対応信号フォーマットのテスト信号に対するＡＶアンプ２０の信号フォーマットの対応・未対応のテストが終了すると、ＡＶアンプ２０の未対応信号フォーマットがあるか否かを判断して、ＡＶアンプ２０の未対応信号フォーマットがある場合、ディスク再生装置１０の再生モードをＡＶアンプ２０の未対応信号フォーマットを除外して再生する選択再生モードに設定する。これにより、ディスク再生装置１０、ＡＶアンプ２０の分厚い取扱説明書を紐解かなくても、ディスク再生装置１０から出力されるデジタル音声信号の信号フォーマットの中、ＡＶアンプ２０の対応可能な信号フォーマットと未対応の信号フォーマットとを判別して、未対応の信号フォーマットを選択肢から除外することができるので、ＡＶアンプ２０により再生することができない信号フォーマットのデジタル音声信号を再生しなくて済む。
また、図３の本発明の一実施例のディスク再生装置の動作を示すフローチャートを基に説明する。
ＡＶアンプの対応・未対応信号フォーマットのテストが開始されると、ステップＳ１からステップＳ２に進み、ステップＳ２でディスク再生装置が対応している信号フォーマットのテスト信号が順次再生されて、テスト信号がＡＶアンプに出力され、ステップＳ３に進む。
ステップＳ３で、ＡＶアンプに接続されたスピーカからのテスト信号の音声がマイクロホンにより集音されたか否かが判断され、ＡＶアンプに接続されたスピーカからのテスト信号の音声がマイクロホンにより集音された場合、ステップＳ４に進み、ＡＶアンプに接続されたスピーカからのテスト信号の音声がマイクロホンにより集音されない場合、ステップＳ５に進む。
ステップＳ４で、ＡＶアンプの対応信号フォーマットであると判定され、ステップＳ６に進む。
ステップＳ５で、ＡＶアンプの未対応信号フォーマットであると判定され、ステップＳ６に進む。
ステップＳ６で、ディスク再生装置の全対応信号フォーマットのテスト信号に対するＡＶアンプの信号フォーマットの対応・未対応のテストが終了したか否かが判断され、ディスク再生装置の全対応信号フォーマットのテスト信号に対するＡＶアンプの信号フォーマットの対応・未対応のテストが終了した場合、ステップＳ７に進み、ディスク再生装置の全対応信号フォーマットのテスト信号に対するＡＶアンプの信号フォーマットの対応・未対応のテストが終了していない場合、ステップＳ２に戻って、ステップＳ２からのステップを繰り返す。
ステップＳ７で、ＡＶアンプの未対応信号フォーマットがあるか否かが判断され、ＡＶアンプの未対応信号フォーマットがある場合、ステップＳ８に進み、ＡＶアンプの未対応信号フォーマットがない場合、ステップＳ９に進んで処理を終了する。
ステップＳ８で、ディスク再生装置の再生モードが、ＡＶアンプの未対応信号フォーマットを除外して再生する選択再生モードに設定され、ステップＳ９に進んで処理を終了する。
【図面の簡単な説明】
【０００７】
【図１】本発明の一実施例のディスク再生装置を適用したＡＶシステムの一例を示す図である。
【図２】本発明の一実施例のディスク再生装置の構成を示すブロック図である。
【図３】本発明の一実施例のディスク再生装置の動作を示すフローチャートである。
【符号の説明】
【０００８】
１０  ディスク再生装置
１１  光ディスク
１２  ディスク再生部
１３  デジタル音声信号出力部
１４  増幅検出回路
１５  マイコン
２０  ＡＶアンプ
２０ａ  接続ケーブル
２１  デコーダ
２２  音声信号出力部
２３  マイコン
３０  スピーカ
３０ａ  スピーカコード
３１  スピーカ
３１ａ  スピーカコード
４０  マイクロホン
４０ａ  マイクロホンコード
【図１】
2005327349.tif 000003
【図２】
2005327349.tif 000004
【図３】
2005327349.tif 000005